(57)【特許請求の範囲】
【請求項１】
前面及び上面が開放した収納空間を少なくとも一部に有する収納家具において、前記収納空間の直視可能な最上位であって該収納空間を構成する両側の垂直板間の前部のみに載置板を架設して、通学、通勤等の外出時に必要な小物類を載置可能な小物置き部を設け、前記載置板の後方は前記収納空間と上下に連続している空間部となっていて、該載置板の奥行寸法は、前記空間部の奥行寸法よりも小さく設定したことを特徴とする備忘機能を備えた収納家具。
【請求項２】
前記載置板は、前後縁に小物類の落下防止用の突縁を形成したトレー形状である請求項１記載の備忘機能を備えた収納家具。
【請求項３】
前記小物置き部の下方は開放されており、該小物置き部の直下に衣服ハンガーを吊るすための吊り棒を横設してなる請求項１又は２記載の備忘機能を備えた収納家具。
【請求項４】
底板上に、両側板と仕切板及び背板を垂直に設け、一方の側板と仕切板及び背板とで前記収納空間を構成し、他方の側板と仕切板及び背板とで構成した第２収納空間に単数又は複数の棚板を上下に設けて奥行寸法の広い収納部とし、前記底板の下面に複数のキャスターを設けて移動可能となした請求項１〜３何れか１項に記載の備忘機能を備えた収納家具。
【発明の詳細な説明】
【技術分野】
【０００１】
本発明は、備忘機能を備えた収納家具に係わり、更に詳しくは外出時に必要な小物類を忘れずに携帯できる備忘機能を備えた収納家具に関するものである。
【背景技術】
【０００２】
従来から、各種物品を収納し、また衣服ハンガーを吊るすことが可能な多目的に使用可能な収納家具は各種提供されている。例えば、特許文献１には、箱型ボックスタイプ家具で、最上段の棚板の下方に衣服ハンガーを掛ける吊り棒を横設し、外側面には小棚を多段に設けるとともに、ネクタイ等の小物掛けやフックを設けた移動可能な簡易外出用具入れ収納家具が開示されている。
【０００３】
また、特許文献２には、前側面ならびに天井を連通させて開放したスキー収納箱と、該箱前側に開閉可能に設けたトレー形扉とを具備し、扉の奥行寸法の小さいトレーにスキー靴を収納できるロッカーが開示されている。
【０００４】
しかし、特許文献１，２に記載の収納家具は、それぞれ収納物品に応じて最適な態様で収納できるものの、外出時に必要な小物類をまとめて一箇所に収納するようになっていない。通学、通勤等の外出時に必要な鍵、定期券やＩＤ等のカード類、ハンカチ等の小物類を忘れずに携帯するには、習慣もあるがその収納方法に工夫をする必要がある。
【０００５】
特許文献３に記載されたワゴンタイプの収納家具には、最上段のオープン棚に外出に必要な小物類をまとめて収納しておくことも考慮されるが、該棚の奥行寸法が広いため、棚の奥に収納した場合、あるいは他の小物類の収納時に奥へ押し込まれた場合には、小物類を直視することができなくなり、備忘の点では不十分である。
【先行技術文献】
【特許文献】
【０００６】
【特許文献１】実用新案登録第３１９７７２５号公報
【特許文献２】実公昭５２−４６５７１号公報
【特許文献３】特開２０１０−２７９６１９号公報
【発明の概要】
【発明が解決しようとする課題】
【０００７】
そこで、本発明が前述の状況に鑑み、解決しようとするところは、通学、通勤等の外出時に必要な鍵、定期券やＩＤ等のカード類、ハンカチ等の小物類を忘れずに携帯することが可能な備忘機能を備えた収納家具を提供する点にある。
【課題を解決するための手段】
【０００８】
本発明は、前述の課題解決のために、下記の構成の収納家具を提供する。
【０００９】
（１）前面及び上面が開放した収納空間を少なくとも一部に有する収納家具において、前記収納空間の直視可能な最上位であって該収納空間を構成する両側の垂直板間の前部のみに載置板を架設して、通学、通勤等の外出時に必要な小物類を載置可能な小物置き部を設け、前記載置板の後方は前記収納空間と上下に連続している空間部となっていて、該載置板の奥行寸法は、前記空間部の奥行寸法よりも小さく設定したことを特徴とする備忘機能を備えた収納家具。
【００１０】
（２）前記載置板は、前後縁に小物類の落下防止用の突縁を形成したトレー形状である（１）記載の備忘機能を備えた収納家具。
【００１１】
（３）前記小物置き部の下方は開放されており、該小物置き部の直下に衣服ハンガーを吊るすための吊り棒を横設してなる（１）又は（２）記載の備忘機能を備えた収納家具。
【００１２】
（４）底板上に、両側板と仕切板及び背板を垂直に設け、一方の側板と仕切板及び背板とで前記収納空間を構成し、他方の側板と仕切板及び背板とで構成した第２収納空間に単数又は複数の棚板を上下に設けて奥行寸法の広い収納部とし、前記底板の下面に複数のキャスターを設けて移動可能となした（１）〜（３）何れか１に記載の備忘機能を備えた収納家具。
【発明の効果】
【００１３】
以上にしてなる本発明の備忘機能を備えた収納家具は、前面及び上面が開放した収納空間を少なくとも一部に有する収納家具において、前記収納空間の直視可能な最上位であって該収納空間を構成する両側の垂直板間の前部のみに載置板を架設して、通学、通勤等の外出時に必要な小物類を載置可能な小物置き部を設け、前記載置板の後方は前記収納空間と上下に連続している空間部となっていて、該載置板の奥行寸法は、前記空間部の奥行寸法よりも小さく設定したので、目に付き易い位置にある小物置き部に、通勤等の外出時に必要な鍵、定期券やＩＤ等のカード類、ハンカチ等の小物類を載置しておけば、それらの小物類を忘れずに携帯することができる。特に、忘れ物が多い人には、常に小物置き部に外出に必要な小物類を置くように習慣付けることにより、外出時に忘れ物を少なくでき、小学校の低学年の児童には忘れ物によるストレスを軽減できる。
【００１４】
前記小物置き部は、前記収納空間を構成する両側の垂直板間に架設した載置板であり、該載置板の後方は空間部となっている場合には、小物類を載置する位置が載置板に物理的に制限されるので、常に目に付き易い位置に置いておくことができる。尚、前記収納空間の後部は空間部で上下に連続していることから、この空間部に竹刀や筒型図面ケース等の長尺物を立てて収容することもできる。
【００１５】
そして、前記載置板の奥行寸法は、前記空間部の奥行寸法よりも小さく設定してなることにより、収容空間の半分よりも前側にある載置板にのみ小物類を載置することができ、特に目に付き易くなる。
【図面の簡単な説明】
【００１６】
【図１】本発明に係る備忘機能を備えた収納家具の全体斜視図である。
【図２】同じく備忘機能を備えた収納家具の縦断面図である。
【図３】使用状態を示す一部省略斜視図である。
【図４】ベッドとデスクと組み合わせた家具においての使用例を示す斜視図である。
【図５】小物置き部の他の実施形態を示し、（ａ）は載置板の後縁に規制板を立ち上げた形態の縦断面図、（ｂ）は載置板の後方へ傾斜面を形成した形態の縦断面図、（ｃ）は載置板の後方へ段状に閉塞板を設けた形態の縦断面図である。
【発明を実施するための形態】
【００１７】
次に、添付図面に示した実施形態に基づき、本発明を更に詳細に説明する。図１〜図３は本発明に係る備忘機能を備えた収納家具を示し、図中符号１は収納家具、２は収納空間、３は小物置き部、４は載置板、５は空間部をそれぞれ示している。
【００１８】
本発明の備忘機能を備えた収納家具１は、前面及び上面が開放した収納空間２を少なくとも一部に有する収納家具において、前記収納空間２の直視可能な最上位であって前部のみに、通学、通勤等の外出時に必要な小物類Ｇを載置可能な小物置き部３を設けたことを特徴としている。小物類Ｇとしては、鍵、定期券やＩＤ等のカード類、ハンカチ等が挙げられる。特に、小学校の低学年では、学校で忘れ物検査されるような物も対象となる。
【００１９】
ここで、前記小物置き部２は、前記収納空間２を構成する両側の垂直板（後述の側板７と仕切板９）間に架設した載置板４であり、該載置板４の後方は空間部５となっている。そして、前記載置板４の奥行寸法は、前記空間部５の奥行寸法よりも小さく設定している。
【００２０】
具体的には、前記収納家具１は、底板６上に、両側板７，８と仕切板９及び背板１０を垂直に設け、一方の側板７と仕切板９及び背板１０とで前記収納空間２を構成し、他方の側板８と仕切板９及び背板１０とで構成した第２収納空間１１に単数又は複数の棚板１２，…を上下に設けて奥行寸法の広い収納部とし、前記底板６の下面に複数のキャスター１３，…を設けて移動可能となした構造である。
【００２１】
更に、前記載置板４は、前後縁に小物類の落下防止用の突縁１４，１４を形成したトレー形状であることが望ましい。また、前記小物置き部３の下方は開放されており、該小物置き部３の直下に衣服ハンガーＨを吊るすための吊り棒１５を横設することも望ましい。
【００２２】
前記収納空間２は、ハンガーＨに掛けた衣服を前記吊り棒１５に横向きに吊るした際に、前記背板１０に邪魔されずに正しい姿勢になるようにするとともに、前側へあまり突出しないようにする必要がある。そのため、前記収納空間２の奥行寸法は比較的大きく設定してあり、本実施形態では約３５２ｍｍに設定した。尚、本発明の収納家具１の高さは、９６０ｍｍであり、前記載置板４は上方から全体を直視できる高さにある。
【００２３】
前記載置板４の後方は空間部５となっているので、小物類Ｇは収納空間２の前部に位置する載置板４の上面にのみに載置せざるを得なくなり、常に目に付き易い場所に保管するようになる。また、前記収納空間２の後部は空間部５で上下に連続していることから、この空間部５に竹刀Ｓや筒型図面ケース、あるいは杖等の長尺物を立てて収容することもできる。また、前記側板７，８の外面適所にフックＦを適数設け、手提げ袋等を吊り下げることができるようにしても良い。
【００２４】
図４は、本発明の収納家具１をベッド１６の下方空間に収容した使用例を示している。このベッド１６は、床部材１７の高さが二段ベッドよりも低いミドルベットであり、床部材１７の下方空間を利用してオープンラック１８や収納タンス１９、衣装ケース１９Ａを設置し、更に図示しないデスクと組み合わせて使用するタイプの家具である。本発明の収納家具１を前記ベッド１６の床部材１７の下方に押し込んで設置した状態でも、前記小物置き部３の上に置いた小物類を直視することができる。
【００２５】
図５に前記小物置き部３の他の実施形態を示す。図５（ａ）は、前記載置板４の後縁に規制板２０を立ち上げた形態である。図５（ｂ）は、前記載置板４の後方へ傾斜面２１を形成し、空間部５を塞いだ形態である。図５（ｃ）は、前記載置板４の後方へ段状に閉塞板２２を設け、空間部５を塞いだ形態である。何れの場合も小物類Ｇを載置する場所は、載置板４の上面に制限される。その他の構成は、前記同様であるので、同一構成には同一符号を付して、その説明は省略する。
【符号の説明】
【００２６】
１  収納家具、
２  収納空間、
３  小物置き部、
４  載置板、
５  空間部、
６  底板、
７  側板、
８  側板、
９  仕切板、
１０  背板、
１１  第２収納空間、
１２  棚板、
１３   キャスター、
１４  突縁、
１５  吊り棒、
１６  ベッド、
１７  床部材、
１８  オープンラック、
１９  収納タンス、
１９Ａ  衣装ケース、
２０  規制板、
２１  傾斜面、
２２  閉塞板、
Ｇ  小物類、
Ｈ  ハンガー、
Ｓ  竹刀、
Ｆ  フック。
【図１】
0006784055.tif 000002
【図２】
0006784055.tif 000003
【図３】
0006784055.tif 000004
【図４】
0006784055.tif 000005
【図５】
0006784055.tif 000006